(57)【要約】【課題】掘削面積を極力少なくして、掘削作業と掘削部側の横材の解体作業に要する労力の削減と時間の短縮を可能にする山留壁構造。【解決手段】山留面Ｆに沿う複数本の親杭２と横矢板３から構成される山留壁１が、親杭２間にわたって横方向に配設された横材４と、その横材４と山側土壌の間に配設されたアンカー部材５により土圧に対抗するように支持されている山留壁構造で、横材４が、山留面Ｆに沿う方向視において、親杭２の厚み方向で重複するように配置されて親杭２に固定されている。【選択図】        図１
2005201009.tif 000002
【特許請求の範囲】
【請求項１】
山留面に沿う複数本の親杭と横矢板から構成される山留壁が、前記親杭間にわたって横方向に配設された横材と、その横材と山側土壌の間に配設されたアンカー部材により土圧に対抗するように支持されている山留壁構造であって、
前記横材が、前記山留面に沿う方向視において、前記親杭の厚み方向で重複するように配置されて前記親杭に固定されている山留壁構造。
【請求項２】
前記親杭が型鋼で構成され、前記横材が鉄筋コンクリートで構成されている請求項１に記載の山留壁構造。
【請求項３】
前記横材が、前記親杭を山留面に沿って建て込んだ後に、その親杭間に配筋してコンクリートを打設した現場打ち鉄筋コンクリートで構成されている請求項２に記載の山留壁構造。
【請求項４】
前記親杭と横材が、それぞれ型鋼で構成されている請求項１に記載の山留壁構造。
【請求項５】
前記横材が、前記山留面に沿う方向視において、上方ほど山側へ後退する傾斜受け面を備え、その傾斜受け面により前記アンカー部材に作用する土圧対抗力を受け止めるように構成されている請求項１〜４のいずれか１項に記載の山留壁構造。
【発明の詳細な説明】
【技術分野】
【０００１】
本発明は、山留面に沿う複数本の親杭と横矢板から構成される山留壁が、前記親杭間にわたって横方向に配設された横材と、その横材と山側土壌の間に配設されたアンカー部材により土圧に対抗するように支持されている山留壁構造に関する。
【背景技術】
【０００２】
このような山留壁構造は、例えば、地中に地下構造物を構築するにあたり、土壌の一部を順次下方へ掘削して行く際、その掘削部側への土壌の崩落を防ぐためのもので、従来、親杭の表側、つまり、掘削部側に横材を配置し、さらに、その横材に貫通させたアンカー部材の基端部を横材から掘削部側へ突出させ、その突出させた基端部に固定用の部材を取り付けて、横材によりアンカー部材に作用する土圧対抗力を受け止めるように構成したものが知られている（例えば、特許文献１参照）。
【０００３】
【特許文献１】特許第２８３２５０８号公報
【発明の開示】
【発明が解決しようとする課題】
【０００４】
しかしながら、上記公報に記載の従来構造では、山留面に沿う方向から見ると、親杭の掘削部側の面から横材がその厚み分だけ完全に突出した状態となる。
したがって、さらに掘削を続ける場合には、その横材が掘削作業の邪魔になり、また、掘削部に地下構造物を構築する場合には、地下構造物を親杭の掘削部側の面に近接させて構築することができず、そのため、どうしても必要以上の面積にわたって掘削しなければならず、掘削作業に多大の労力と時間を要するという問題があった。
【０００５】
本発明は、このような従来の問題点に着目したもので、その目的は、掘削面積を極力少なくして、掘削作業に要する労力の削減と時間の短縮を可能にする山留壁構造を提供することである。
【課題を解決するための手段】
【０００６】
本発明の第１の特徴構成は、山留面に沿う複数本の親杭と横矢板から構成される山留壁が、前記親杭間にわたって横方向に配設された横材と、その横材と山側土壌の間に配設されたアンカー部材により土圧に対抗するように支持されている山留壁構造であって、前記横材が、前記山留面に沿う方向視において、前記親杭の厚み方向で重複するように配置されて前記親杭に固定されているところにある。
【０００７】
本発明の第１の特徴構成によれば、山留壁を支持する横材が、山留面に沿う方向視において、山留壁を構成する親杭の厚み方向で重複するように配置されて親杭に固定されているので、親杭の掘削部側の面から突出する横材の突出量は、少なくとも親杭への重複分だけ少なくなる。
したがって、掘削を続ける場合には、横材があまり掘削作業の邪魔になることもなく、掘削作業を容易に続行することができ、また、掘削部に地下構造物を構築する場合には、親杭側に比較的近接して地下構造物を構築することができる。
その結果、掘削面積を極力少なくして、掘削作業に要する労力の削減と時間の短縮を図ることができる。
【０００８】
本発明の第２の特徴構成は、前記親杭が型鋼で構成され、前記横材が鉄筋コンクリートで構成されているところにある。
【０００９】
本発明の第２の特徴構成によれば、親杭が型鋼で構成されているので、例えば、市販の型鋼を使用することができ、また、横材が鉄筋コンクリートで構成されているので、横材として必要な強度や剛性を確保することができ、アンカー部材に作用する土圧対抗力を確実に受け止めて、土圧による土留壁の倒壊を確実に防止することができる。
【００１０】
本発明の第３の特徴構成は、前記横材が、前記親杭を山留面に沿って建て込んだ後に、その親杭間に配筋してコンクリートを打設した現場打ち鉄筋コンクリートで構成されているところにある。
【００１１】
本発明の第３の特徴構成によれば、前記横材が、親杭を山留面に沿って建て込んだ後に、その親杭間に配筋してコンクリートを打設した現場打ち鉄筋コンクリートで構成されているので、例えば、鉄筋コンクリート製の横材を工場などで予め製作して現場へ搬入する場合のように、比較的長くて重量のある横材をいちいち現場へ搬入する必要がなく、横材の製作から組み付けまでを現場において一挙に行うことができる。
【００１２】
本発明の第４の特徴構成は、前記親杭と横材が、それぞれ型鋼で構成されているところにある。
【００１３】
本発明の第４の特徴構成によれば、親杭と横材が、それぞれ型鋼で構成されているので、現場へ搬入する手間は要るものの、現場打ち鉄筋コンクリートのような養生期間が不用で、土留壁構造の構築作業を短期間のうちに行うことができる。
【００１４】
本発明の第５の特徴構成は、前記横材が、前記山留面に沿う方向視において、上方ほど山側へ後退する傾斜受け面を備え、その傾斜受け面により前記アンカー部材に作用する土圧対抗力を受け止めるように構成されているところにある。
【００１５】
本発明の第５の特徴構成によれば、前記横材が、山留面に沿う方向視において、上方ほど山側へ後退する傾斜受け面を備え、その傾斜受け面によりアンカー部材に作用する土圧対抗力を受け止めるように構成されているので、アンカー部材を横材側に取り付けるための部材も、親杭の掘削部側の面から大きく突出することがなく、掘削作業を容易に行うことができるとともに、掘削部に地下構造物を構築する場合には、より一層親杭側に近接させて地下構造物を構築することができ、掘削面積を一層少なくして、掘削作業に要する労力の削減と時間の短縮を更に図ることができる。
【発明を実施するための最良の形態】
【００１６】
本発明による山留壁構造の実施の形態を図面に基づいて説明する。
この山留壁構造は、例えば、地中に地下構造物を構築するため、土壌の一部を順次下方へ掘削して行く際、その掘削側への土壌の崩落を防ぐためのもので、図１および図２に示すように、山留壁１は、山留面Ｆに沿って土中に建て込んだ多数本の親杭２と、その親杭２間にわたって配設された多数枚の横矢板３により構成されている。
例えば、親杭２はＨ型鋼により、また、横矢板３は鋼矢板により構成されて、各横矢板３の左右端部が、Ｈ型鋼からなる親杭２の溝内に嵌入配置されていて、このような構成の山留壁１が、横材４とアンカー部材５によって山側からの土圧に対抗するように支持されている。
【００１７】
山留壁１を支持する横材４は、通常「腹起し」と称される横架材に相当し、多数本の鉄筋４ａにより補強された鉄筋コンクリート、つまり、後に詳しく説明するように、現場打ちによる鉄筋コンクリートにより構成されている。
その横材４は、図２に示すように、山留面Ｆに沿う方向視において、通常「根切り」と称される掘削部Ｅ側の面が親杭２の面とほぼ面一になる状態で、親杭２の厚み方向で完全に重複し、かつ、その一部が山側へ突出する状態に構成され、親杭２と一体化されて固定されている。さらに、その横材４には、山留面Ｆに沿う方向視において、上方ほど山側へ後退する傾斜受け面６が適当な間隔を置いて形成されている。
【００１８】
アンカー部材５は、例えば、アースアンカーと称される従来公知のもので、その先端部が、斜め下方に向けて山側土壌内に打ち込まれて固定され、その基端部が、横材４を貫通して傾斜受け面６から突出されている。
そして、そのアンカー部材５の突出基端部に締め付け用のナット部材７ａが螺合され、かつ、そのナット部材７ａが、座金７ｂを介して横材４の傾斜受け面６により支持されていて、アンカー部材５に作用する土圧対抗力が、横材４の傾斜受け面６により受け止められるように構成されている。
【００１９】
つぎに、この山留壁構造を構築する手順について説明する。
まず、図３や図４の（イ）に示すように、Ｈ型鋼の溝が山留面Ｆに沿うようにして、その山留面Ｆに沿って必要な本数の親杭２を土中に建て込み、その後、親杭２の表側、つまり、掘削部Ｅ側を掘削するとともに、親杭２の裏側も一部掘削する。
そして、横材４を構築した後に、各親杭２間に横矢板３を配設して親杭２の裏側を埋め戻す。さらに、横材４の下方を掘削して各親杭２間に横矢板３を配置して土壌の崩落を防止し、この作業を順次繰り返して下方へ掘削して行き、所定の深さまで掘削する。
【００２０】
横材４の構築に際しては、各親杭２間に鉄筋４ａを配筋し、好ましくは、各鉄筋４ａの端部を親杭２に穿設した配筋用孔２ａ内に通して固定する。
その後、少なくとも掘削部Ｅ側に主型枠８ａと傾斜受け面６を形成するための補助型枠８ｂを組み付け、必要な場合には山側にも型枠を組み付け、かつ、アンカー部材５を山側土壌内に打ち込んで、型枠８ａ、８ｂ内に生コンクリート４ｂを打設して養生する。
アンカー部材５は、横材４にアンカー部材５が通る穴を開けておき、生コンクリート４ｂが硬化した後に挿入して締め付けてもよい。
生コンクリート４ｂが硬化した後、型枠８ａ，８ｂを外し、図４の（ロ）に示すように、アンカー部材５の突出基端部に座金７ｂを挿通して締め付け用のナット部材７ａを螺合し、そのナット部材７ａ締め付けて、アンカー部材５に作用する土圧対抗力が、傾斜受け面６により受け止められるように設定する。
【００２１】
このようにして山留壁１を構築し、かつ、その山留壁１を横材４とアンカー部材５により土圧に対抗するように支持することで、山側からの土壌の崩落が確実に防止される。
その後、さらに掘削部Ｅを掘削することになるが、上述したように、山留面Ｆに沿う方向視において、横材４の掘削部Ｅ側の面が親杭２の面とほぼ面一となり、さらに、アンカー部材５に螺合するナット部材７ａも横材４の掘削部Ｅ側の面から大きく突出することがないので、その後の掘削作業を容易に行うことができる。
言い換えると、図５に示すように、掘削部Ｅに建屋の地下構造物Ｓなどを構築する場合、山留壁１の壁面ぎりぎりにまで地下構造物Ｓを構築することができるのであり、したがって、掘削部Ｅの掘削面積を必要最小限にとどめることができる。
【００２２】
〔別実施形態〕
（１）先の実施形態では、山留壁１を支持する横材４を現場打ちによる鉄筋コンクリートで構成した例を示したが、鉄筋コンクリート製の横材４を工場などで予め製作しておいて現場へ搬入し、現場において親杭２に固定するように構成することもできる。
また、横材４は特に鉄筋コンクリート製に限るものではなく、図６に示すように、例えば、横材４を親杭２と同じＨ型鋼で構成し、山留面Ｆに沿う方向視において、親杭２の厚み方向で完全に一致する状態に重複させて、図外のボルト・ナットまたは溶接により親杭２に固定して実施することもできる。
その場合、必要に応じて、傾斜受け面６を有する金属製ブロック９を配置し、アンカー部材５の突出基端部に螺合されるナット部材７ａを傾斜受け面６に当接するように締め付けて実施することができる。
【００２３】
（２）先の実施形態では、親杭２をＨ型鋼で構成した例を示したが、Ｈ型以外の各種の型鋼で構成できるのはもちろん、例えば、鉄筋コンクリート製の杭を親杭２として使用することもでき、同様に、横矢板３に関しても、特に鋼矢板に限るものではなく、例えば、木製の板をはじめとして各種の板材で構成することができる。
また、山留面Ｆに沿う方向視において、横材４の掘削部Ｅ側の面が、親杭２の掘削部Ｅ側の面とほぼ面一になるように構成した例を示したが、横材４の掘削部Ｅ側の面が、親杭２の掘削部Ｅ側の面から多少突出するように構成することもできる。
【図面の簡単な説明】
【００２４】
【図１】山留壁構造の斜視図
【図２】山留壁構造の縦断側面図
【図３】山留壁構造の構築過程を示す縦断側面図
【図４】山留壁構造の構築過程を示す斜視図
【図５】山留壁構造の縦断側面図
【図６】別の実施形態による山留壁構造の縦断側面図
【符号の説明】
【００２５】
１      山留壁
２      親杭
３      横矢板
４      横材
５      アンカー部材
６      傾斜受け面
Ｆ      山留面
【図１】
2005201009.tif 000003
【図２】
2005201009.tif 000004
【図３】
2005201009.tif 000005
【図４】
2005201009.tif 000006
【図５】
2005201009.tif 000007
【図６】
2005201009.tif 000008